(57)【特許請求の範囲】
【請求項１】
着脱可能なペン先を備えた筆記具に装着され、交換用の柱状のペン先を外面に備えた筆記具用キャップであって、キャップ本体を、上端が閉鎖され下端が開口された有底筒体から構成し、前記キャップ本体の外面に、交換用のペン先を挟持可能な軸方向に延びる一対の挟持壁部を設け、前記挟持壁部の相互間に軸方向に延びるスリットを設け、前記スリットを、前記挟持壁部の上端または下端より軸方向に開口させ、前記挟持壁部にペン先を挟持した状態において、前記ペン先の外面を、前記スリットを介して挟持壁部から径方向外方に突出させ、横断面視において、前記キャップ本体の軸心から前記ペン先外面までの径方向の最大距離を、前記キャップ本体の軸心から前記挟持壁部外端部までの径方向の最大距離よりも大きく設定し、前記挟持壁部の軸方向の長さを前記ペン先の長手方向の長さ以上に設定したことを特徴とする筆記具用キャップ。
【請求項２】
前記スリットを前記挟持壁部の下端より下方に開口させ、前記挟持壁部の各々の上端のみをキャップ本体外面に接続し、前記挟持壁部の各々の下端を自由端部とし、前記挟持壁部の各々が周方向に弾性を有する請求項１記載の筆記具用キャップ。
【請求項３】
前記キャップ本体の上端部に外装体を固着し、前記外装体が、一対の挟持壁部と、キャップ本体の取付孔に挿着される取付壁部と、前記取付壁部の上端と前記挟持壁部の上端とを接続する接続壁部とからなる請求項２記載の筆記具用キャップ。
【発明の詳細な説明】
【技術分野】
【０００１】
本発明は、筆記具用キャップに関する。詳細には、交換用のペン先を外面に備えた筆記具用キャップに関する。
【背景技術】
【０００２】
従来、この種の筆記具用キャップにおいて、例えば、特許文献１には、キャップ本体外面に、交換用ペン先を保持する閉断面形状を形成するペン先保持部を備え、前記ペン保持部の軸長を交換用ペン先より短く設定した構成が開示されている。
【０００３】
また、特許文献２には、溝状のスペアーペン先のペン先収納部を外側面に設け、該ペン先収納部にペン先を圧入する構成が開示されている。
【特許文献１】特開２００７−１６０６８０号公報
【特許文献２】特開２００４−２５４７５号公報
【発明の開示】
【発明が解決しようとする課題】
【０００４】
前記特許文献１は、ペン先保持部にペン先が強固に保持されると、ペン先外面が損傷するおそれや、ペン先の取り出しが困難となるおそれがある。また、ペン先の端部を外部に突出させて保持する構造のため、ペン先保持状態において、ペン先の端部（即ちペン先の極めてデリケートな部分）を損傷させるおそれがある。
【０００５】
前記特許文献２は、指等ではペン先外面に十分に触れることができず、ペン先をペン先収納部から容易に取り出すことが困難である。また、前記特許文献２は、ペン先収納部にペン先を圧入することにより、ペン先が潰れたり変形したりするおそれがある。
【０００６】
本発明は、前記従来の問題点を解決するものであって、交換用のペン先を容易に取り出すことができるとともに交換用のペン先の損傷を防止できる筆記具用キャップを提供しようとするものである。尚、本発明で、「上」とはキャップ本体の閉鎖側を指し、「下」とはキャップ本体の開口側を指す。また、本発明で、「軸方向」とは、キャップ本体の軸線に沿う方向を指し、「径方向」とは、キャップ本体の軸線に対して垂直な方向を指す。
【課題を解決するための手段】
【０００７】
［１］本願の第１の発明は、着脱可能なペン先を備えた筆記具に装着され、交換用の柱状のペン先４を外面に備えた筆記具用キャップであって、キャップ本体２を、上端が閉鎖され下端が開口された有底筒体から構成し、前記キャップ本体２の外面に、交換用のペン先４を挟持可能な軸方向に延びる一対の挟持壁部３１を設け、前記挟持壁部３１の相互間に軸方向に延びるスリット３４を設け、前記スリット３４を、前記挟持壁部３１の上端または下端より軸方向に開口させ、前記挟持壁部３１にペン先４を挟持した状態において、前記ペン先４の外面を、前記スリット３４を介して挟持壁部３１から径方向外方に突出させ、横断面視において、前記キャップ本体２の軸心から前記ペン先４外面までの径方向の最大距離Ｌ１を、前記キャップ本体２の軸心から前記挟持壁部３１外端部までの径方向の最大距離Ｌ２よりも大きく設定し、前記挟持壁部３１の軸方向のＬ３を前記ペン先４の長手方向のＬ４以上に設定したこと（請求項１）を要件とする。
【０００８】
前記第１の発明の筆記具用キャップ１は、前記ペン先４の外面を、前記スリット３４を介して挟持壁部３１から径方向外方に突出させ、横断面視において、前記キャップ本体２の軸心から前記ペン先４外面までの径方向の最大距離Ｌ１を、前記キャップ本体２の軸心から前記挟持壁部３１外端部までの径方向の最大距離Ｌ２よりも大きく設定した構成により、ペン先４の外面に指等を十分に接触させることができ、ペン先４を軸方向に容易に取り出すことができる。
【０００９】
また、前記第１の発明の筆記具用キャップ１は、挟持壁部３１の軸方向の長さＬ３をペン先４の長手方向の長さＬ４以上に設定したことにより、ペン先４を挟持した状態において、ペン先４の端部が挟持壁部３１の端部から軸方向に突出せず、ペン先４の端部（即ちペン先４の極めてデリケートな部分である筆記端部または接続端部）を損傷させるおそれがない。
【００１０】
尚、前記キャップ本体２の軸心からペン先４外面までの径方向の最大距離Ｌ１とは、キャップ本体２の軸心を中心として描く、ペン先４外面に接する円の半径の最大値をいう。また、前記キャップ本体２の軸心から挟持壁部３１外端部までの径方向の最大距離Ｌ２とは、キャップ本体２の軸心を中心として描く、挟持壁部３１外端部に接する円の半径の最大値をいう。
【００１１】
［２］本願の第２の発明は、前記第１の発明の筆記具用キャップ１において、前記スリット３４を前記挟持壁部３１の下端より下方に開口させ、前記挟持壁部３１の各々の上端のみをキャップ本体２外面に接続し、前記挟持壁部３１の各々の下端を自由端部とし、前記挟持壁部３１の各々が周方向に弾性を有すること（請求項２）を要件とする。
【００１２】
前記第２の発明の筆記具用キャップ１は、挟持壁部３１の各々が周方向（即ちペン先４外面を挟持する方向）に弾性を有するため、ペン先４を挟持壁部３１に挿入する際、ペン先４の外面が潰れたり変形したりするおそれがない。
【００１３】
［３］本願の第３の発明は、前記第２の発明の筆記具用キャップ１において、前記キャップ本体２の上端部に外装体３を固着し、前記外装体３が、一対の挟持壁部３１と、キャップ本体２の取付孔２１ｃに挿着される取付壁部３２と、前記取付壁部３２の上端と前記挟持壁部３１の上端とを接続する接続壁部３３とからなること（請求項３）を要件とする。
【００１４】
前記第３の発明の筆記具用キャップ１は、挟持壁部３１をキャップ本体２に一体に形成する場合に比べ、キャップ本体２と別部材からなる外装体３により挟持壁部３１を設けたことにより、一対の挟持壁部３１をキャップ本体２に容易に設けることができる。
【発明の効果】
【００１５】
本発明の筆記具用キャップは、交換用のペン先を容易に取り出すことができるとともに交換用のペン先の損傷を防止できる。
【発明を実施するための最良の形態】
【００１６】
本発明の筆記具用キャップ１の実施の形態を図１乃至図５に示す。
本実施の形態の筆記具用キャップ１は、キャップ本体２と、該キャップ本体２に取り付けられる外装体３と、前記外装体３の挟持壁部３１に挟持される交換用のペン先４とからなる。
【００１７】
・キャップ本体
前記キャップ本体２は、上端が閉鎖され且つ下端が開口された有底円筒体からなる。前記キャップ本体２は、同心円状の２重の円筒よりなる上部２１と、該上部２１と一体に連設され且つ下端が開口された円筒よりなる下部２２とから構成される。前記キャップ本体２の上部２１は、上端が閉鎖され下端が開口された有底円筒状からなる内筒２１ａと、前記内筒２１ａの外周を包囲し且つ上端が開口された円筒状の外筒２１ｂとからなる。前記外筒２１ｂと前記内筒２１ａの間には環状の隙間よりなる取付孔２１ｃが形成され、前記取付孔２１ｃがキャップ本体２の上端より上方に開口される。前記内筒２１ａの下端及び前記外筒２１ｂの下端は、キャップ本体２の下部２２と一体に連設される。前記キャップ本体２は、合成樹脂の射出成形により得られる。前記キャップ本体２を筆記具のペン先４側に装着した際、筆記具のペン先４が密封される。
【００１８】
・ペン先
前記ペン先４は、繊維束の樹脂加工体から得られる。前記ペン先４は、全体が略円柱状に形成され、両端に円錐面状の面取り部を有する。
【００１９】
・外装体
前記外装体３は、合成樹脂の射出成形から得られ、軸方向に延びる一対の挟持壁部３１と、軸方向に延びる円筒状の取付壁部３２と、径方向に延びる板状の接続壁部３３とが一体に形成されてなる。
【００２０】
前記接続壁部３３の裏面は、挟持壁部３１の上端及び取付壁部３２の上端と一体に連設される。前記接続壁部３３の表面は、平面状に形成される。
【００２１】
前記一対の挟持壁部３１の相互間には、軸方向に延び且つ下方に開口するスリット３４が形成される。ペン先未挟持状態で挟持壁部３１を正面視したとき（図１でペン先４を取り外した状態）、前記スリット３４を介してキャップ本体２の外面が視認可能に構成される。前記挟持壁部３１の各々は、上端のみが接続壁部３３と接続され、下端が自由端部となる。前記挟持壁部３１の各々は、周方向（ペン先４を挟持する方向）に弾性変形可能である。前記挟持壁部３１の各々の軸方向の長さＬ３は、ペン先４の長手方向の長さＬ４以上（即ち、Ｌ３≧Ｌ４）に設定される。
【００２２】
前記取付壁部３２は取付孔２１ｃに圧入される。それにより、前記接続壁部３３が、キャップ本体２の上端に当接し且つキャップ本体２の上端面を覆うとともに、前記挟持壁部３１が、キャップ本体２の外面に接触または近接配置される。前記挟持壁部３１は、キャップ本体２の外面より径方向外方に突設される。
【００２３】
本実施の形態の筆記具用キャップ１は、前記挟持壁部３１にペン先４を挟持した状態において、ペン先４の外面がスリット３４を介して挟持壁部３１から径方向外方に突出される。横断面視において（図３参照）、キャップ本体２の軸心からペン先４外面までの径方向の最大距離Ｌ１が、キャップ本体２の軸心から挟持壁部３１外端部までの径方向の最大距離Ｌ２よりも僅かに大きく設定される（即ち、Ｌ１＞Ｌ２）。それにより、ペン先４の外面に指等を十分に接触させることができ、ペン先４を下方に移動させて容易に取り出すことができる。
【００２４】
また、前記各々の挟持壁部３１は、横断面において（図３参照）、径方向内端部の周方向の幅寸法が径方向外端部の周方向の幅寸法よりも大きくなる形状を有する。それにより、挟持壁部３１の折れ曲がり強度が向上するとともに、キャップ本体２の外面に対する挟持壁部３１の安定した取り付けが可能となる。
【００２５】
また、本実施の形態の筆記具用キャップ１は、挟持壁部３１の軸方向の長さＬ３をペン先４の長手方向の長さＬ４以上に設定したことにより、ペン先４を挟持した状態において、ペン先４の端部が挟持壁部３１下端から突出せず、ペン先４の端部（即ちペン先４の極めてデリケートな部分である筆記端部または接続端部）を損傷させるおそれがない。
【００２６】
また、本実施の形態の筆記具用キャップ１は、前記挟持壁部３１の各々の上端のみをキャップ本体２の外面に接続し、前記挟持壁部３１の各々の下端を自由端部とし、挟持壁部３１の各々が周方向（即ちペン先４挟持方向）に弾性を有する構成のため、ペン先４を挟持壁部３１に挿入する際、ペン先４外面が潰れたり変形したりするおそれがない。
【００２７】
また、本実施の形態の筆記具用キャップ１は、キャップ本体２の上端部に外装体３を固着し、前記外装体３が、一対の挟持壁部３１と、キャップ本体２の取付孔２１ｃに挿着される取付壁部３２と、前記挟持壁部３１と前記取付壁部３２とを接続する接続壁部３３とが一体に連設された構成である。それにより、挟持壁部３１をキャップ本体２に一体に形成する場合に比べ、キャップ本体２と別部材からなる外装体３により挟持壁部３１を設けたことにより、一対の挟持壁部３１をキャップ本体２に容易に設けることができる。
【図面の簡単な説明】
【００２８】
【図１】本発明の実施の形態のペン先挟持状態を示す正面図である。
【図２】図１のＡ−Ａ線断面図である。
【図３】図１のＢ−Ｂ線断面図である
【図４】図１のＣ−Ｃ線矢視図である
【図５】図２のキャップのペン先を取り外した状態を示す縦断面図である。
【符号の説明】
【００２９】
１  筆記具用キャップ
２  キャップ本体
２１  上部
２１ａ  内筒
２１ｂ  外筒
２１ｃ  取付孔
２２  下部
３  外装体
３１  挟持壁部
３２  取付壁部
３３  接続壁部
３４  スリット
４  ペン先
Ｌ１  キャップ本体の軸心からペン先外面までの径方向の最大距離
Ｌ２  キャップ本体の軸心から挟持壁部外端部までの径方向の最大距離
Ｌ３  挟持壁部の軸方向の長さ
Ｌ４  ペン先の長手方向の長さ
【図１】
0005276853.tif 000002
【図２】
0005276853.tif 000003
【図３】
0005276853.tif 000004
【図４】
0005276853.tif 000005
【図５】
0005276853.tif 000006